(57)【特許請求の範囲】
【請求項１】
装着型ディスプレイデバイスであって、
少なくとも、中心を有する前部部分、左サポート、および右サポートを備えるハウジングと、前記左および右サポートが、前記前部部分から延びている、
前記ハウジングの前記少なくとも１つのサポート部分内に配置されたディスプレイパネルと、前記ディスプレイパネルが、画像情報を表示するように構成される、
前記ディスプレイパネルと電子通信するプロセッサと、前記プロセッサが、
前記ディスプレイパネルに前記画像情報を提供するように構成された統合ディスプレイドライバと、
セルラープロトコルを介してデータを通信するように構成された統合モデムと
を含む、
光学システムと
を備え、前記光学システムが、
画像ガイドと、前記画像ガイドが、
前記ディスプレイパネルに面している受光面と、
前記ハウジングの内部に面している発光面と
を含み、前記画像ガイドが、前記受光面上の前記ディスプレイパネルから発光された光を受信するように配置され、前記光が、前記画像情報を表し、前記画像ガイドが、前記画像ガイドを介して前記ディスプレイパネルから受信された前記光を前記前部部分の方に伝搬するように構成される、
眼点にあるユーザの目の視野（ＦＯＶ）の側部において前記画像情報が見えるように、反射光が発光面を介して視点の方向に前記画像ガイドを出るように、前記画像ガイドを介して前記発光面の方に伝搬する前記光を反射するように配置された部分反射面と、前記画像情報が、前記ＦＯＶの外側に現れ、前記部分反射面が、部分透明であるように構成され、透明なガラスよりも高い割合の外光を遮蔽する
を備える、装着型ディスプレイデバイス。
【請求項２】
前記光学システムが、前記ディスプレイパネルと前記画像ガイドとの間に配置された１つまたは複数のレンズを備えるレンズシステムをさらに備え、前記レンズシステムが、前記ディスプレイパネルから光を受信し、コリメートし、前記ディスプレイから前記画像ガイドに前記光を伝搬するように構成される、請求項１に記載のディスプレイデバイス。
【請求項３】
前記光学システムが、前記画像情報が３メートル以上離れたソースからであるように見えるように、前記ユーザの目によって閲覧するために前記眼点に光を提供するように構成される、請求項１に記載のディスプレイデバイス。
【請求項４】
前記画像ガイドが、内部全反射に基づいて動作するアクリル画像ガイドを備える、請求項１に記載のディスプレイデバイス。
【請求項５】
前記部分反射面が、前記眼点に配置された前記ユーザの目の前記ＦＯＶの前記中心に対して０度より小さく−２５度より大きい間の垂直オフセットで前記眼点に配置された前記ユーザの目に前記画像情報を提供するように配置される、請求項１に記載のディスプレイデバイス。
【請求項６】
前記部分反射面が、前記眼点に配置された前記ユーザの目の前記ＦＯＶの前記中心に対して−５度と−２０度との間の垂直オフセットで前記眼点に配置された前記ユーザの目に前記画像情報を提供するように配置される、請求項５に記載のディスプレイデバイス。
【請求項７】
前記部分反射面が、前記眼点に配置された前記ユーザの目の前記ＦＯＶの前記中心に対して５度と３５度との間の垂直オフセットで前記眼点に配置された前記ユーザの目に前記画像情報を提供するように配置される、請求項１に記載のディスプレイデバイス。
【請求項８】
前記部分反射面が、前記眼点に配置された前記ユーザの目の前記ＦＯＶの前記中心に対して１０度と３５度との間の水平オフセットで前記眼点に配置された前記ユーザの目に前記画像情報を提供するように配置される、請求項７に記載のディスプレイデバイス。
【請求項９】
前記部分反射面が、前記眼点に配置された前記ユーザの目の前記ＦＯＶの前記中心に対して１５度と２５度との間の水平オフセットで前記眼点に配置された前記ユーザの目に前記画像情報を提供するように配置される、請求項８に記載のディスプレイデバイス。
【請求項１０】
前記部分反射面が、前記眼点に配置された前記ユーザの目の前記ＦＯＶの前記中心に対して約２０度の水平オフセットで前記眼点に配置された前記ユーザの目に前記画像情報を提供するように配置される、請求項９に記載のディスプレイデバイス。
【請求項１１】
ワイヤレスモバイルデバイスと通信するように構成されたトランシーバをさらに備え、前記プロセッサが、前記ワイヤレスモバイルデバイスから前記ディスプレイパネル上に表示するための情報を受信するように構成される、請求項１に記載のディスプレイデバイス。
【請求項１２】
前記ディスプレイパネルが有機発光ダイオードディスプレイを備える、請求項１に記載のディスプレイデバイス。
【請求項１３】
前記部分反射面が、光の約２５％〜７５％を反射するように構成される、請求項１に記載のディスプレイデバイス。
【請求項１４】
前記部分反射面が、光の約５０％を反射するように構成される、請求項１に記載のディスプレイデバイス。
【請求項１５】
装着型ディスプレイデバイスの眼点にあるユーザの目に画像情報を提供する方法であって、
プロセッサから画像情報を提供することと、前記プロセッサが、ディスプレイパネルに前記画像情報を提供するように構成された統合ディスプレイドライバを含み、セルラープロトコルを介してデータを通信するように構成された統合モデムをさらに含む、
前記画像情報を示す光が前記装着型ディスプレイデバイスの前部部分の方に投影されるように、前記画像情報をディスプレイパネル上に表示することと、前記ディスプレイパネルが、前記装着型ディスプレイデバイスのサポート内に配置され、前記サポートが、前記前部部分から延びている、
光学システムを使用して、前記ディスプレイパネルから発光された光をコリメートし、画像ガイドを介して前記コリメートされた光を前記前部部分の方に伝搬することと、
眼点にある前記ユーザの目の視野（ＦＯＶ）の側部において前記画像情報が見えるように、反射光が発光面を介して視点の方向に光ガイドを出るように、前記画像ガイドを介して前記画像ガイドの前記発光面の方に伝搬する前記光を反射するように配置された部分反射面によって前記画像ガイドから受信された前記光を反射することと、前記画像情報が、前記ＦＯＶの外側に現れ、前記部分反射面が、部分透明であるように構成され、透明なガラスよりも高い割合の外光を遮蔽する、
を備える方法。
【請求項１６】
前記部分反射面が、前記眼点に配置された前記ユーザの目の前記ＦＯＶの前記中心に対して０度より小さく−２５度より大きい間の垂直オフセットで前記眼点に配置された前記ユーザの目に前記画像情報を提供するように配置される、請求項１５に記載の方法。
【請求項１７】
前記部分反射面が、前記眼点に配置された前記ユーザの目の前記ＦＯＶの前記中心に対して−５度と−２０度との間の垂直オフセットで前記眼点に配置された前記ユーザの目に前記画像情報を提供するように配置される、請求項１５に記載の方法。
【請求項１８】
前記部分反射面が、前記眼点に配置された前記ユーザの目の前記ＦＯＶの前記中心に対して５度と３５度との間の垂直オフセットで前記眼点に配置された前記ユーザの目に前記画像情報を提供するように配置される、請求項１５に記載の方法。
【請求項１９】
前記部分反射面が、前記眼点に配置された前記ユーザの目の前記ＦＯＶの前記中心に対して１０度と３５度との間の水平オフセットで前記眼点に配置された前記ユーザの目に前記画像情報を提供するように配置される、請求項１５に記載の方法。
【請求項２０】
前記部分反射面が、前記眼点に配置された前記ユーザの目の前記ＦＯＶの前記中心に対して１５度と２５度との間の水平オフセットで前記眼点に配置された前記ユーザの目に前記画像情報を提供するように配置される、請求項１９に記載の方法。
【請求項２１】
前記部分反射面が、前記眼点に配置された前記ユーザの目の前記ＦＯＶの前記中心に対して約２０度の水平オフセットで前記眼点に配置された前記ユーザの目に前記画像情報を提供するように配置される、請求項１９に記載の方法。
【請求項２２】
前記部分反射面が、部分透明であり、光の約２５％〜７５％を反射するように構成される、請求項１５に記載の方法。
【請求項２３】
前記光学システムが、前記画像情報が３メートル以上離れたソースからであるように見えるように、前記ユーザの目によって閲覧するために前記眼点に光を提供するように構成される、請求項１５に記載の方法。
【請求項２４】
装着型ディスプレイデバイスであって、
画像情報を示す光が前記装着型ディスプレイデバイスの前部部分の方に投影されるように、前記画像情報を表示するための手段と、前記表示するための手段が、前記装着型ディスプレイデバイスのサポート内に配置され、前記サポートが、前記前部部分から延びている、
前記表示する手段と電子通信するプロセッサと、前記プロセッサが、
前記表示する手段に前記画像情報を提供するように構成された統合ディスプレイドライバと、
セルラープロトコルを介してデータを通信するように構成された統合モデムと
を含む、
前記表示する手段から発光された光をコリメートし、前記光をガイドするための手段を介して前記コリメートされた光を前記前部部分の方に伝搬するための手段と、
前記光をガイドする手段から受信された前記光を反射するための手段と、前記反射する手段が、眼点にあるユーザの目の視野（ＦＯＶ）の側部において前記画像情報が見えるように、視点の方向に前記光をガイドする手段を介して伝搬する光を反射するように配置され、前記画像情報が、前記ＦＯＶの外側に現れ、前記反射する手段が、部分透明であるように構成され、透明なガラスよりも高い割合の外光を遮蔽する、
を備える装着型ディスプレイデバイス。
【請求項２５】
前記表示する手段がマイクロディスプレイパネルを備え、前記光をコリメートする手段がレンズアセンブリを備え、前記光をガイドする手段が画像ガイドを備え、前記反射する手段が部分反射面を備える、請求項２４に記載のデバイス。
【請求項２６】
前記反射する手段が、前記眼点に配置された前記ユーザの目の前記ＦＯＶの前記中心に対して０度より小さく−２５度より大きい間の垂直オフセットで前記眼点に配置された前記ユーザの目に前記画像情報を提供するように配置される、請求項２４に記載のデバイス。
【請求項２７】
前記反射する手段が、前記眼点に配置された前記ユーザの目の前記ＦＯＶの前記中心に対して１０度と３５度との間の水平オフセットで前記眼点に配置された前記ユーザの目に前記画像情報を提供するように配置される、請求項２４に記載のデバイス。
【請求項２８】
装着型ディスプレイデバイスであって、
少なくとも、中心を有する前部部分、左サポート、および右サポートを備えるハウジングと、前記左および右サポートが、前記前部部分から延びている、
前記ハウジングの前記少なくとも１つのサポート部分内に配置されたマイクロディスプレイと、
前記マイクロディスプレイと電子通信するプロセッサと、前記プロセッサが、
前記マイクロディスプレイに画像情報を提供するように構成された統合ディスプレイドライバと、
セルラープロトコルを介してデータを通信するように構成された統合モデムと
を含む、
眼点にあるユーザの目の視野の側部において前記画像情報が見えるように、視点の方におよび前記前部部分の方に前記マイクロディスプレイから発光された画像情報を示す光を反射するように構成された光学システムと、前記画像情報が、前記ユーザの目の視野の外側に現れ、前記光学システムが、部分透明であるように構成され、透明なガラスよりも高い割合の外光を遮蔽する、
を備える装着型ディスプレイデバイス。
【請求項２９】
前記光学システムが、
前記マイクロディスプレイに面している受光面と前記ハウジングの内部に面している発光面とを有する画像ガイドと、
前記マイクロディスプレイと前記画像ガイドとの間に配置された１つまたは複数のレンズを備えるレンズシステムと、前記レンズシステムが、前記マイクロディスプレイから光を受信し、コリメートし、前記マイクロディスプレイから前記画像ガイド受光面に前記光を伝搬するように構成される、
反射光が前記発光面を介して視点の方向に前記画像ガイドを出るように、前記画像ガイドを介して前記発光面の方に伝搬する光を反射するように配置された部分反射面と
を備える、請求項２８に記載のデバイス。
【請求項３０】
前記部分反射面が、前記眼点に配置されたユーザの目の前記視野（ＦＯＶ）の前記中心に対して０度と−２５度との間の垂直オフセットで前記眼点に配置された前記ユーザの目に前記画像情報を提供するように配置され、前記部分反射面が、前記眼点に配置された前記ユーザの目の前記ＦＯＶの前記中心に対して１０度と３５度との間の水平オフセットで前記眼点に配置された前記ユーザの目に前記画像情報を提供するように配置される、請求項２９に記載のデバイス。
【発明の詳細な説明】
【技術分野】
【０００１】
[0001]本出願は、一般に、ニアアイディスプレイに関し、より詳細には、モバイルユーザのためのシースルーニアアイディスプレイのためのシステム、方法、およびデバイスに関する。
【背景技術】
【０００２】
[0002]シースルーニアアイディスプレイシステムは、いくつかの異なる用途を有し得る。たとえば、ユーザは、モバイルフォン上のディスプレイを見下す必要なしに、街をナビゲートできることが望ましい場合がある。にぎやかな都市の通りまたは他の環境を歩きながら、ユーザが電子メールおよびテキストを読むことができることが望ましい場合もある。これらのタスクを達成するために、ユーザの環境の妨害されていない視野を提供するとともに、使用が地図、拡張現実ポップアップ、および他の情報などの情報をモバイルデバイスから消費するのも可能にするシースルーニアアイディスプレイを提供することが有益であり得る。したがって、改善されたシースルーニアアイディスプレイが要求される。
【発明の概要】
【０００３】
[0003]本明細書で説明するシステム、方法、デバイス、およびコンピュータプログラム製品は、各々いくつかの態様を有し、それらのうちの単一の態様が単独でその望ましい属性に関与するとは限らない。以下の特許請求の範囲によって表される本発明の範囲を制限することなしに、いくつかの特徴を以下で手短に説明する。この議論を考察すれば、特に「発明を実施するための形態」と題されるセクションを読めば、本発明の有利な特徴が、ユーザの視野を著しく塞ぐことなく、ハンズフリーシースルーディスプレイをユーザに提供することをどのように含むかが理解されるだろう。そのようなディスプレイは、モバイルデバイスまたは他の媒体から情報を、ユーザの前にある距離で大きい仮想スクリーン上に投影することを可能にし、ユーザのポケット、ホルスタ、またはバッグの中にあるままであり得る、たとえば電話など、別のモバイルデバイスに結合または接続され得る。
【０００４】
[0004]１つの革新は、装着型ニアアイシースルーディスプレイデバイスを含む。ディスプレイデバイスは、ノーズサポートを含み得る、少なくとも前部部分を備えるハウジングを含み得る。ディスプレイデバイスは、プロセッサに結合され、プロセッサから画像情報を受信し、画像情報に基づいて画像を形成する光を投影するように構成されたディスプレイと、部分反射面を備える光学システムとを含み得、光学システムは、ディスプレイから画像を受信し、画像を反射スクリーンに提供するように構成され、反射スクリーンは、眼点（eye point）にあるユーザの目の視野の側部において画像が見えるようにビューポイントに画像を反射する位置に配置され、視野の側部は、前部部分またはハウジングの中心の遠位（distal）にある。
【０００５】
[0005]いくつかの実施形態では、光学システムは、１つまたは複数のレンズを備えるレンズシステムをさらに含み得、レンズシステムは、ディスプレイから画像を形成する光を受信し、コリメートし、画像を形成する光をディスプレイから画像ガイドに伝搬するように構成され、画像ガイドは、レンズシステムから画像を受信し、レンズシステムから反射スクリーンに画像を送信するように配置される。いくつかの実施形態では、レンズシステムは、画像が３メートル以上離れたソースからであるように見えるように、光をコリメートするように構成される。いくつかの実施形態では、画像ガイドは、内部全反射に基づいて動作するアクリル画像ガイドを備える。部分反射面は、画像ガイドから受信された画像が画像の中心に対して０度とマイナス２５度（−２５）との間の垂直オフセットを有するように配置され得る。いくつかの実施形態では、部分反射面は、画像ガイドから受信された画像がマイナス５（−５）度とマイナス２０（−２０）度との間の垂直オフセットを有するように配置される。
【０００６】
[0006]ニアアイディスプレイデバイスのいくつかの実施形態では、部分反射面は、画像ガイドから受信された画像が画像の中心に対して５度と３５度との間の垂直オフセットを有するように配置され得る。いくつかの実施形態では、部分反射面は、画像ガイドから受信された画像が１０度と３０度との間の水平オフセットを有するように配置される。いくつかの実施形態では、部分反射面は、画像ガイドから受信された画像が１５度と２５度との間の水平オフセットを有するように配置される。いくつかの実施形態では、部分反射面は、画像ガイドから受信された画像が約２０度の水平オフセットを有するように配置される。
【０００７】
[0007]ニアアイディスプレイデバイスは、モバイルデバイスにワイヤレスに接続されるように構成され得、プロセッサは、モバイルデバイスから画像情報を受信するように構成される。いくつかの実施形態では、ディスプレイは、有機発光ダイオードディスプレイを備える。いくつかの実施形態では、レンズシステムは、光が約３メートル離れたソースからであるように見えるように、光をコリメートするように構成される。いくつかの実施形態では、部分反射面は、部分透明であり、光の約２５％〜７５％を反射するように構成される。いくつかの実施形態では、部分反射面は、部分透明であり、光の約５０％を反射するように構成される。
【０００８】
[0008]他の革新は、装着型ディスプレイデバイスによって視覚情報をユーザの一方または両方の目に提供する方法を含む。方法は、情報のソースから画像データまたはビデオデータの形で情報を受信することと、マイクロディスプレイを使用して、光を投影することと、受信されたビデオ情報に基づいて画像を形成することと、レンズシステムを使用して、マクロディスプレイから光をコリメートすることと、マクロディスプレイから画像ガイドに光を伝搬することと、画像ガイドを使用して、レンズシステムから光を受信することと、光を部分反射器に向けることと、光の中心に対して５度と３５度との間の水平オフセットで、および光の中心に対して０度とマイナス２５（−２５）度との間の垂直オフセットで光が投影されるように、シースルーディスプレイデバイスから、ディスプレイデバイスを装着しているユーザの目が配置され得る場所の方に、部分反射器を使用して、画像ガイドから受信された光を反射することとを含み得る。いくつかの実施形態では、ビデオ情報のソースは、アプリケーションプロセッサボードを備える。いくつかの実施形態では、ビデオ情報のソースからビデオ情報を受信することは、モバイルデバイスに対するワイヤレス接続を介して、モバイルデバイスからビデオ情報を受信することを備える。マイクロディスプレイは、有機発光ダイオードディスプレイを含み得る。いくつかの実施形態では、レンズシステムは、光が約３メートル離れたソースからであるように見えるように、光をコリメートするように構成される。いくつかの実施形態では、光が３メートル以上離れたソースからであるように見えるようなコリメートされた光。
【０００９】
[0009]本開示の一態様は、装着型ディスプレイデバイスを提供する。デバイスは、中心を有する少なくとも前部部分を備えるハウジングと、ハウジング内に配置されたディスプレイパネルと、ディスプレイパネルが、画像情報を表示するように構成される、ディスプレイパネルと電子通信するプロセッサと、プロセッサが、ディスプレイパネルに画像情報を提供するように構成される、ディスプレイパネルに面して配置された受光面を含む画像ガイドを含む光学システムと、ハウジングの内部に面して配置された発光面と、画像ガイドが、受光面上のディスプレイパネルから画像情報を表す光を受信するように配置され、画像ガイドが、画像ガイドを介してディスプレイから受信された光をハウジングの前部部分の方に伝搬するように構成される、眼点にあるユーザの目の視野の側部において画像情報が見えるように、反射光が発光面を介して視点の方向に画像ガイドを出るように、画像ガイドを介して光ガイド放出面の方に伝搬する光を反射するように配置された少なくとも部分反射面と、視野の側部が、ハウジングの前部部分の中心の遠位にある、を含む。
【００１０】
[0010]いくつかの態様では、光学システムは、ディスプレイパネルと画像ガイドとの間に配置された１つまたは複数のレンズを含むレンズシステムをさらに含み、レンズシステムは、ディスプレイパネルから光を受信し、コリメートし、ディスプレイから画像ガイドに光を伝搬するように構成される。光学システムは、画像情報が３メートル以上離れたソースからであるように見えるように、ユーザの目によって閲覧するために眼点に光を提供するように構成され得る。画像ガイドは、内部全反射に基づいて動作するアクリル画像ガイドを含み得る。部分反射面は、眼点に配置されたユーザの目のＦＯＶの中心に対して０度と−２５度との間の垂直オフセットで眼点に配置されたユーザの目に画像情報を提供するように配置され得る。たとえば、部分反射面は、眼点に配置されたユーザの目のＦＯＶの中心に対して−５度と−２０度との間の垂直オフセットで眼点に配置されたユーザの目に画像情報を提供するように配置され得る。いくつかの態様では、部分反射面は、眼点に配置されたユーザの目のＦＯＶの中心に対して５度と３５度との間の垂直オフセットで眼点に配置されたユーザの目に画像情報を提供するように配置され得る。たとえば、部分反射面は、眼点に配置されたユーザの目のＦＯＶの中心に対して１０度と３５度との間の水平オフセットで眼点に配置されたユーザの目に画像情報を提供するように配置され得る。いくつかの態様では、部分反射面は、眼点に配置されたユーザの目のＦＯＶの中心に対して１５度と２５度との間の水平オフセットで眼点に配置されたユーザの目に画像情報を提供するように配置される。たとえば、部分反射面は、眼点に配置されたユーザの目のＦＯＶの中心に対して約２０度の水平オフセットで眼点に配置されたユーザの目に画像情報を提供するように配置され得る。デバイスは、ワイヤレスモバイルデバイスと通信するように構成されたトランシーバも含み得、プロセッサは、モバイルデバイスからディスプレイパネル上に表示するための情報を受信するように構成され得る。ディスプレイパネルは、有機発光ダイオードディスプレイを含み得る。部分反射面は、部分透明であり、光の約２５％〜７５％を反射するように構成され得る。部分反射面は、部分透明であり、光の約５０％を反射するように構成され得る。
【００１１】
[0011]本開示の一態様は、装着型ディスプレイデバイスの眼点にあるユーザの目に画像情報を提供する方法を提供する。方法は、プロセッサから画像情報を提供することと、画像情報を示す光が装着型ディスプレイデバイスの前部部分の方に投影されるように、画像情報をディスプレイパネル上に表示することと、光学システムを使用して、ディスプレイパネルから光をコリメートし、画像ガイドを介してコリメートされた光を伝搬することとを含む。方法は、眼点にあるユーザの目の視野の側部において画像情報が見えるように、反射光が発光面を介して視点の方向に光ガイドを出るように、画像ガイドを介して画像ガイドの光ガイド放出面の方に伝搬する光を反射するように配置された部分反射面によって画像ガイドから受信された光を反射することをさらに含み、視野の側部が、ハウジングの前部部分の中心の遠位にある。
【００１２】
[0012]本開示の一態様は、画像情報を提供するための手段を含む装着型ディスプレイデバイスを提供する。デバイスは、画像情報を示す光が装着型ディスプレイデバイスの前部部分の方に投影されるように、画像情報を表示するための手段と、表示手段からの光をコリメートし、光を案内するための手段を介してコリメートされた光を伝搬するための手段と、光ガイド手段から受信された光を反射するための手段と、反射手段が、眼点にあるユーザの目の視野の側部において画像情報が見えるように、視点の方向に光ガイド手段を介して伝搬する光を反射するように配置され、視野の側部が、ハウジングの前部部分の中心の遠位にある、をさらに含む。
【００１３】
[0013]一態様では、装着型ディスプレイデバイスが開示される。デバイスは、中心を有する少なくとも前部部分を備えるハウジングと、ハウジング内に配置されたマイクロディスプレイと、マイクロディスプレイと電子通信するプロセッサと、プロセッサが、マイクロディスプレイに画像情報を提供するように構成される、を含む。デバイスは、眼点にあるユーザの目の視野の側部において画像情報が見えるように、視点の方に画像情報を示す光を反射するように構成された光学システムをさらに含み、視野の側部が、ハウジングの前部部分の中心の遠位にある。
【００１４】
[0014]本開示の一態様は、装着型ディスプレイデバイスの眼点にあるユーザの目に画像情報を提供する方法を提供する。方法は、眼点にあるユーザの目の視野の側部において画像情報が見えるように、ディスプレイパネルから視点に画像情報を提供することを含み、視野の側部が、装着型ディスプレイデバイスのハウジングの前部部分の中心の遠位にある。いくつかの態様では、画像情報は、眼点に配置されたユーザの目のＦＯＶの中心に対して０度と−２５度との間の垂直オフセットで眼点に配置されたユーザの目に提供され得、部分反射面は、眼点に配置されたユーザの目のＦＯＶの中心に対して１０度と３５度との間の水平オフセットで眼点に配置されたユーザの目に画像情報を提供するように配置され得る。
【図面の簡単な説明】
【００１５】
【図１】[0015]シースルーニアアイディスプレイシステムの一例の正面図であり、ディスプレイシステム上で閲覧され得るマップ情報を示す図。
【図２Ａ】[0016]シースルーニアアイディスプレイシステムの一例の上面図であり、ディスプレイシステム上で閲覧され得るマップ情報を示す図。
【図２Ｂ】[0017]ディスプレイシステム水平軸およびディスプレイシステム垂直軸の図。
【図３】[0018]シースルーニアアイディスプレイシステムに含まれ得るいくつかの構成要素の一例の概略平面図であり、経路の一例を示す図、ユーザの目の前に配置され、ユーザの目の直接的なビュー方向からある角距離でオフセットされる、ディスプレイシステムのマイクロディスプレイから部分反射器に伝搬し得るその光。
【図４】[0019]ディスプレイシステムのいくつかの構成要素を示すシースルーニアアイディスプレイシステムの一例の背面図。
【図５】[0020]本開示のいくつかの態様によるシースルーニアアイディスプレイシステムの図。
【図６】[0021]シースルーニアアイディスプレイシステムのいくつかの構成要素の概略図。
【発明を実施するための形態】
【００１６】
[0022]「例示的」という単語は、本明細書では「例、事例、または例示の働きをすること」を意味するために使用される。本明細書で「例示的」と記載されたいかなる実施形態も、必ずしも他の実施形態よりも好ましいまたは有利であると解釈されるべきであるとは限らない。添付の図面を参照しながら、新規のシステム、装置、および方法の様々な態様について以下でより十分に説明する。しかし、本開示は、様々な異なる形態で実施され得、本開示全体で提示される任意の特定の構造または機能に限定されると解釈されてはならない。むしろ、これらの態様は、本開示が周到で完全になり、本開示の範囲を当業者に十分に伝えるように与えられる。本明細書の教示に基づいて、本開示の範囲は、本発明の任意の他の態様とは無関係に実装されるにせよ、本発明の任意の他の態様と組み合わせて実装されるにせよ、本明細書で開示する新規のシステム、装置、および方法のいかなる態様をもカバーするものであることを、当業者なら諒解されたい。たとえば、本明細書に記載される態様をいくつ使用しても、装置は実装され得、または方法は実施され得る。加えて、本発明の範囲は、本明細書に記載した本発明の様々な態様に加えて、またはそれ以外の、他の構造、機能、または構造および機能を使用して実施されるそのような装置または方法を包含するものとする。本明細書で開示するいずれの態様も、請求項の１つまたは複数の要素によって具現化され得ることを理解されたい。
【００１７】
[0023]特定の態様について本明細書で説明するが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかを例として、図および好適な態様についての以下の説明において示す。詳細な説明および図面は、限定的ではなく、本開示の例示にすぎず、本開示の範囲は、添付の特許請求の範囲とその均等物とによって定義される。
【００１８】
[0024]図１は、シースルーニアアイディスプレイシステム１００の例示的な構成の正面図の一実施形態を示し、ニアアイディスプレイシステム１００を使用して閲覧され得る情報１１０（この場合マップ情報）の一例を示す。ニアアイディスプレイシステム１００は、ニアアイディスプレイシステム１００のユーザ（または着用者）によって閲覧可能な光情報を提供する光学ディスプレイシステム１０５（たとえば図３などに示され、さらに後述する）を含む。図１に示される実施形態では、ニアアイディスプレイシステム１００は、眼鏡またはサングラスのものと類似の形状で構成される。すなわち、ニアアイディスプレイシステム１００のハウジングは、眼鏡またはサングラスの形状であり得る。しかし、多くの他の構成が可能である。他の実施形態の例では、ニアアイディスプレイシステム１００は、バイザー、ヘルメット、帽子、および／または単体レンズの眼鏡型デバイスを含む、またはそれに部分的にもしくは完全に格納されるもしくは取り付けられるように構成され得る。他の実施態様では、ニアアイディスプレイシステム１００は、ニアアイディスプレイシステム１００を装着しているユーザの目に光学ディスプレイシステム１０５を介して情報を提供するためにニアアイディスプレイシステム１００を配置するヘルメット、眼鏡、バイザー、または他のタイプの頭部装着ギアに取り付けるように構成され得る。ニアアイディスプレイシステム１００は、独立型デバイスでもよく、または、ワイヤレスもしくはワイヤード接続によってユーザのモバイルデバイスに接続されてもよい。ニアアイディスプレイシステム１００が接続できるモバイルデバイスの例には、限定はしないが、タブレットコンピュータ、セルラー電話もしくは他の通信デバイス、腕時計、または別のモバイルデバイスを含む。いくつかの実施形態では、ニアアイディスプレイシステム１００は、自動車コンピュータシステム、飛行機コンピュータシステム、および／または他のコンピュータ（たとえば、デスクトップコンピュータ）に接続され得る。
【００１９】
[0025]光学ディスプレイシステム１０５によって、ユーザは、光学ディスプレイシステム１０５の部分反射器３４０（図３）の少なくとも一部に投影される情報を閲覧することができる。たとえば、この情報は、たとえば、ナビゲーション関連のデータ（限定はしないが、マップ、ターンバイターンで書かれた道順、ＧＰＳデータ、および疑似または実際の衛星画像を含む）、テキストメッセージ、電子メール、ビデオ、画像、リアルタイムビデオもしくは画像、インターネットコンテンツ、ゲーム、または光学ディスプレイシステム１０５の位置またはユーザによって提供される命令に関係する特定の情報を含み得る。したがって、光学ディスプレイシステム１０５は、ナビゲーション、エンターテインメント、インターネットを閲覧する、ゲームする、またはコンピュータ画面上に表示され得る任意の他のコンテンツを閲覧するために使用され得、光学ディスプレイシステム１０５を装着しているユーザが、街の通りを歩いて、一般に人々および周囲環境と対話しながら、周囲の十分な可視性を可能にすることができ得る。光学ディスプレイシステム１０５によって表示された情報は、ユーザによって半透明であるように知覚され得、ユーザの視野（ＦＯＶ）内の、真っすぐに見ているユーザのＦＯＶ以外のある位置に配置され得る。これによって、ユーザは、周囲と対話し続けながら、たとえば、ターンバイターンナビゲーションを閲覧する、またはテキストメッセージもしくは電子メールを閲覧するためなど、光学ディスプレイシステム１０５において情報を閲覧することもできる。
【００２０】
[0026]ニアアイディスプレイシステム１００は、ワイヤレスに、またはワイヤード接続を介して、モバイルデバイス（たとえば、モバイルフォン、タブレット、腕時計、またはイヤフォン）に結合され得る。たとえば、ニアアイディスプレイシステム１００は、たとえばＢｌｕｅｔｏｏｔｈ（登録商標）またはＩＥＥＥ８０２．１１（Ｗｉ−Ｆｉ（登録商標））規格などの技術を使用してモバイルデバイスに接続され得る。たとえば、ニアアイディスプレイシステム１００は、アクセスポイントまたは２つの間の他の仲介の使用を必要とすることで、ニアアイディスプレイシステム１００とモバイルデバイスとの間の接続を可能にし得る、Ｍｉｒａｃａｓｔなどのピアツーピアワイヤレス規格を使用してモバイルデバイスに接続され得る。いくつかの実施形態では、ニアアイディスプレイシステム１００は、たとえば、Ｗｉ−Ｆｉおよび／またはセルラープロトコルおよび通信システムを介してデータを通信するために構成された独立型デバイスでもよい。
【００２１】
[0027]まだ図１を参照すると、ニアアイディスプレイシステム１００は、ユーザの一部頭部を包むように構成され得る、またはユーザの頭部全体を包むように構成され得る湾曲形フレーム（またはハウジング）を含み得る。湾曲形フレームは、以前の装着型コンピューティングデバイスのよりずんぐりしたフレームよりもいくつかの利点を提供し得る。湾曲形フレームは、他のフレームよりもスタイリングで見栄えがする可能性があり、たとえばサングラスまたは他の眼鏡により似ているように見えるなど、より望ましい外観を有し得る。湾曲形フレームは、着脱がより容易であり得る。また、湾曲形フレーム設計は、他のヘッドセット構成よりも格納するのが容易であり得る。
【００２２】
[0028]ニアアイディスプレイシステム１００は、情報の単眼ビューを提供して、一方の目に情報を表示するように構成され得、ユーザの左目または右目のいずれかに提供され得る。いくつかの他の実施形態では、ニアアイディスプレイシステム１００は、情報をユーザの左目と右目の両方に提供するように構成され得る。そのような実施形態では、図３に示される光学ディスプレイシステム１０５の構成要素は、情報をユーザの左目と右目の両方に提供するために、部分的または完全に複製され得る。いくつかの実施形態では、単眼設計は、個々人が、双眼設計よりもその周囲をより良く閲覧できるようにし得、双眼設計よりも高価でない可能性があり、また、ヘッドセットの一部における他の構成要素（たとえば、１つまたは複数のプロセッサ、メモリ、通信構成要素、オーディオ構成要素、限定はしないが振動構成要素または可動構成要素を含む触覚または知覚構成要素など）のためにニアアイディスプレイシステム１００上のより多くの空間を可能にし得る。たとえば、単眼システムでは、いくつかの構成要素（たとえば投影構成要素）がディスプレイシステム１００の片側に配置され、一方、他の構成要素（たとえばプロセッサまたはメモリ）が反対側に配置され得る。
【００２３】
[0029]光学ディスプレイシステム１０５の実施形態（図２Ａおよび図３に関してさらに示され、記載される）は、画像ソースから情報を含む光を受信し、ディスプレイシステム１００のユーザの目があるエリアの方に光を反射する（少なくとも部分的な）反射スクリーンに光を伝搬するように構成された画像ガイドも含み得る。たとえば、反射スクリーンは、ディスプレイシステム１００のユーザによって見ることができる視野の一部に光を反射する部分反射器とすることができる。したがって、反射スクリーンは、それが光ガイドから受信する光を、ユーザの一方の目の視野側に離れてあるように見えるような角度で、ユーザの目の方に投影されるように反射する。これは、光学ディスプレイシステム１０５によって提供される情報によってユーザの前で起こるイベントの遮蔽を低減するのを助け得る。光学ディスプレイシステム１０５は、カラーで情報を提供し得、より低い電力消費のために、たとえば、ＯＬＥＤディスプレイを含み得る。様々な実施形態では、光学ディスプレイシステム１０５の構成は、説明上、０度のオフセットで示されるユーザの目の直視方向から１〜４５度の角度オフセットでユーザの目に提供される情報の視野を配置し得る。たとえば、角度オフセットは、ユーザの目の直視方向から１〜４５度の範囲内の角度になるように構成され得る。図１の図示の実施形態では、オフセットは２０度である。言い換えれば、光学ディスプレイシステム１０５は、目には直進方向から（約）２０度のオフセットを有する方向から来ているように見えるように、目に情報を提示するように構成され得る。
【００２４】
[0030]いくつかの実施形態では、光学ディスプレイシステム１０５は、ユーザが望む角度で目に情報を提供するように調整される、または調整されるべき入力を受信することができる。いくつかの例では、情報はあってもよく、これは、ニアアイディスプレイシステム１００の右側または左側に２０度ずれて提示され得る。たとえば、情報がユーザの視野の中央よりもユーザの視野のサイドに提示される場合、有利であり得る。単眼システムが左目のために投影されている場合、投影画像は、ユーザの視野の左側にオフセットされ得る。この情報をサイドに提示することは、ユーザが造作なくユーザ自身の前を見ることを可能にしながら、必要に応じてニアアイディスプレイシステム１００からの情報を見ることも可能であり得る。いくつかの態様では、この情報は、たとえば、ユーザの視野の中央から約１５度または２５度の範囲内であってもよい。そのような角度によって、ディスプレイ１１０上に提示された情報は、ユーザの視野に著しく影響を与えないことを可能にしながら、依然としてほとんど労力または眼精疲労なくユーザに可視であり得る。
【００２５】
[0031]いくつかの態様では、ニアアイディスプレイシステム１００は、水平線よりわずかに下のレベルでユーザに情報を提示し得る。たとえば、ニアアイディスプレイシステム１００は、ニアアイディスプレイシステム１００を介して真っ直ぐ前を見ているユーザの水平視野を表す平面の下にあるように知覚される情報をユーザの目に提示し得る。いくつかの実施形態では、ニアアイディスプレイシステム１００が情報を提供する水平線角度が調整され得る。水平線より下のこの角度は、個々人の目がフォーカスする最も快適な角度であり得、したがって、ニアアイディスプレイシステム１００を使用するときの眼精疲労も低下させ得る。たとえば、様々な実施形態では、ニアアイディスプレイシステム１００は、ユーザの視野の水平線より下の０〜４５度の範囲内にある情報をユーザの目に提供するように構成される。いくつかの実施形態では、情報は、たとえば、ユーザの視点の水平線より下の０〜２０度の角度など、水平線のすぐ下の範囲内に提示される。したがって、そのニアアイディスプレイシステム１００上によって提供される情報は、画像がじゃまにならず、しかし、最小の眼精疲労で、必要なときに見やすくフォーカスしやすい位置に配置され得る。
【００２６】
[0032]図２Ａは、ニアアイディスプレイシステム１００のいくつかの構成要素を含む、シースルーニアアイディスプレイシステム１００の例示的な実施形態の別の図である。この実施形態に示されるように、ニアアイディスプレイシステム１００は、受信された情報を表示するように構成されたディスプレイパネル２１８を含む。ディスプレイパネル（マイクロディスプレイ）２１８は、情報をディスプレイパネル２１８に提供するように構成されたプロセッサまたはディスプレイエンジン（図示せず）と通信する。特に、図２Ａは、マイクロディスプレイ２１８上の画像から、レンズアセンブリ２１５を介して、画像ガイド２２０内に、次いで、最終的にユーザの目２０５に提供されるように光２１０を案内するための光学的構成要素を示す。マイクロディスプレイ２１８からの光は、内部全反射（ＴＩＲ）を使用して画像ガイド２２０を進み得る。部分反射器２４０は、画像ガイド２２０から光を受信し、ユーザがニアアイディスプレイシステム１００を装着しているとき、ユーザの目２０５が配置される視点２１３に受信された光を反射するために配置される。部分反射器２４０は、少なくとも部分反射面であり得る。いくつかの実施形態では、部分反射器２４０は透過性でなく、および／または透光性でなく、たとえば、高反射またはミラー面（またはミラー）であり得る。様々な実施形態では、部分反射器２４０は、時として「スクリーン」または「光学的構成要素」または「光学素子」であり得、および一般に、「スクリーン」または「光学的構成要素」または「光学素子」と呼ばれ得、各場合において、少なくとも１つの少なくとも部分反射面を含む。部分反射器２４０は、目２０５の直視方向からのあるオフセットで、たとえば、ユーザの視野の中心から２０度の角度オフセットで、マイクロディスプレイ３０５（図３）から目２０５に光情報を提供するために配置され得る。また、部分反射器２４０は、ユーザがニアアイシステム１００を介して水平方向に見ているとき、ユーザの視野の水平線の下に、すなわち、ユーザの視野の水平面よりも下のある角度からユーザによって知覚されるように、マイクロディスプレイ３０５（図３）から目２０５に光情報を提供するために配置され得る。図２Ａはユーザの右目に提示される情報を表しているが、様々な実施形態では、ニアアイシステム１００は、同様に、ユーザの右目、または両方に情報を提示するようにも構成され得る。
【００２７】
[0033]ディスプレイシステム１００の向きは、ディスプレイシステムの水平軸によって特徴付けられ得る。図２に示されるように、ここで定義されるディスプレイシステム水平軸２２５は、ディスプレイシステム水平軸の「０度」の矢印２２５によって示されるように、ディスプレイシステム１００の前から真っすぐに向けられている。言い換えれば、ディスプレイシステム水平軸２２５は、ニアアイディスプレイシステムを二分する水平面内にニアアイディスプレイシステム１００の前から延び、水平面内にあり水平軸２２５に垂直な横軸２３０も含むニアアイディスプレイシステム１００の軸である。通常、ディスプレイシステム水平軸の０度の矢印２２５は、（ユーザの頭部においてニアアイディスプレイシステムがどのように配向されているか、またはユーザの目の前にどのように配置されているかに正確に応じて）ディスプレイシステムを装着しているユーザの「直進」方向に一致し得る。したがって、いくつかの態様では、部分反射器２４０は、ディスプレイシステム水平軸から（ディスプレイシステム１００の目のどの部分が情報の表示に使用されるかに応じて、外方向に）０度と９０度との間の角度にディスプレイシステム１００からの光が向けられるように配置され得る。たとえば、この角度は、５度と３５度との間であり得る。いくつかの態様では、ディスプレイシステム水平軸と部分反射器２４０からの光との間の角度は、部分反射器２４０から画像の中心までであり得る。たとえば、部分反射器自体からの画像は、ある角範囲を取り得る。したがって、部分反射器２４０は、部分反射器２４０からの光が、部分反射器２４０からの画像の中心に対して、ディスプレイシステム水平軸から約２０度でオフセットされるように構成され得る。
【００２８】
[0034]図２Ｂは、ディスプレイシステム水平軸２３０およびディスプレイシステム垂直軸２３５の一実施形態の図である。ここに示されるように、線２３５と線２３０の交差がディスプレイシステムのユーザの視野の中心であるとみなされ得るように、軸線の両方が０度または軸の中心で描かれる。いくつかの態様では、ディスプレイシステム垂直軸２３５上の正の角は、ディスプレイシステム１００を装着しているユーザの「水平線」よりも上にある対象物と一致し得、したがって、ユーザは、ディスプレイシステム垂直軸２３５上の正の角でアイテムを見るために上方を見るために、目を動かさなければならない場合がある。ここに示されるように、ディスプレイシステム１００からの画像２４０は、眼鏡の視野に投影され得る。この画像２４０は、ディスプレイシステム水平軸２３０の中心からの水平オフセット２４５を有し得る。画像２４０は、ディスプレイシステム垂直軸２３５の中心からの垂直オフセット２５０も有し得る。これらのオフセットの両方は、それぞれの軸の中心から、画像２４０の中心まで測定され得る。
【００２９】
[0035]いくつかの実施形態では、水平オフセット２４５は、０度と９０度との間であり得、ディスプレイシステム１００の中心から外側に測定し得る。すなわち、水平オフセット２４５は、画像２４０がユーザの視野の外側に現れるようにし得る。したがって、ディスプレイシステム１００がユーザの右目に画像２４０を投影している場合、水平オフセット２４５は、画像２４０がディスプレイシステム水平軸２３０の右側にあるようにし、一方、ディスプレイシステム１００が左のレンズに投影される場合、水平オフセット２４５は、画像２４０がディスプレイシステム水平軸２３０の左側にあるようにする。いくつかの実施形態では、水平オフセット２４５は、画像２４０がディスプレイシステム水平軸２３０の中心に重ならないようにし得る。いくつかの態様では、水平オフセット２４５は、５度と３５度との間、１５度と２５度との間、１０度と３０度との間、または約２０度とすることができる。
【００３０】
[0036]同様に、垂直オフセット２５０は、０度と９０度との間とすることができ、この場合、正の垂直オフセット２５０が「上方」、負の垂直オフセット２５０が「下方」である。たとえば、垂直オフセット２５０は、全画像２４０が０度の「水平線」の下に現れるようにし得る。いくつかの態様では、垂直オフセット２５０は、約５、１０、１５、または２０度であり得る。いくつかの態様では、負の垂直オフセット２５０は、ディスプレイシステム１００を装着しているユーザの眼精疲労を低下させ得る。したがって、いくつかの態様では、ユーザの視点から、ユーザは、画像２４０を見るために、水平線から下方を見得る。
【００３１】
[0037]図３は、シースルーニアアイディスプレイシステム１００の光学ディスプレイシステム１０５に含まれ得るいくつかの構成要素の例の概略平面図である。光学ディスプレイシステム１０５は、情報を表示するマイクロディスプレイパネル（「マイクロディスプレイ」）３２５と、マイクロディスプレイ３２５から光を受信し、受信された光を伝搬し、集束させるレンズスタック３３０と、レンズスタック３３０から光を受信する画像ガイド３３５とを含み得る。光学ディスプレイシステム１０５は、画像ガイド３３５から光を受信し、ニアアイディスプレイシステム１００から受信された光を、たとえば、ニアアイディスプレイシステム１００を装着しているユーザの目の方に反射する反射器３４０も含む。
【００３２】
[0038]いくつかの実施形態では、マイクロディスプレイ３２５は、１０２４×７６８（ＸＧＡ）の解像度を有し得る。たとえば８５４×４８０など、他の解像度も使用され得る。マイクロディスプレイ３２５は、２５０Ｎｉｔ（ｃｄ／ｍ2）の輝度を有し得、または、たとえば１５００Ｎｉｔなど、これよりも明るくてもよい。他のレベルの輝度も使用され得る。マイクロディスプレイ３２５は、２４ビットカラーを使用して画像を表示し得、約１９度または別のサイズの視野を有していてもよい。いくつかの態様では、大きい視野を有することは、光学および画像ガイドの設計によって可能になり得る。これによって、視野を１５度よりも大きくすることができ得る。光学ディスプレイシステム１０５は、マイクロディスプレイ３２５、たとえばＬＣＤ（液晶ディスプレイ）ディスプレイ、ＬＥＤ（発光ダイオード）ディスプレイ、または別のディスプレイのための任意の適したタイプのディスプレイ技術を使用してもよい。いくつかの態様では、ＯＬＥＤ（有機発光ダイオード）ディスプレイが使用され得る。マイクロディスプレイ３２５として使用されるＯＬＥＤディスプレイパネルは、たとえばＬＣＤディスプレイなどいくつかの他のタイプのディスプレイよりも低い電力消費を有し得る。ＯＬＥＤディスプレイは、他のタイプのディスプレイと比較して、高い彩度およびコントラストを有する色も提供し得る。しかしながら、いくつかのディスプレイパネル（たとえば、ＯＬＥＤディスプレイ）の１つの潜在的な欠点は、ディスプレイが他のディスプレイほど明るくないことであり得る。この欠点は、たとえば、ある量の周辺光からユーザを遮蔽することによって軽減され得る。たとえば、それほど明るくないディスプレイパネルは、より透明なグラスよりも高い割合の周辺光を遮断する、サングラスのような薄い色のついた眼鏡とともに使用されるとき、より見やすくなり得る。図３は、経路の一例も示し、ディスプレイシステムのマイクロディスプレイ３２５から、ユーザの目の前に配置され、ユーザの目の直視方向からある角距離でオフセットされ得る反射器３４０に伝搬し得るその光。いくつかの態様では、デバイスは、様々な電力節約技法および低電力消費構成要素を使用して１Ｗ以下の電力消費を有し得る。たとえば、電力消費は、輝度を低下させる、リフレッシュ速度を調整する、スタンバイモードおよびスリープモードを実施するための１つまたは複数の技法を使用して低減され得、そのうちのいずれかは、ユーザ制御または動的に制御され得る。いくつかの実施形態では、デバイスは、５００ｍＷを消費し得る。
【００３３】
[0039]マイクロディスプレイ３２５は、次いで光学ディスプレイシステム１０５を介して伝達される光情報を生成するために使用されるアプリケーションプロセッサ（図３に図示せず）に接続され得る。いくつかの実施形態では、アプリケーションプロセッサは、ニアアイディスプレイシステム１００のどこにでも配置され得、たとえば、ニアアイディスプレイシステム１００のハウジングにおいて、部分反射器３４０のいずれかの側に配置され得る。いくつかの実施形態では、アプリケーションプロセッサは、ニアアイディスプレイシステム１００の外部にあってもよい。マイクロディスプレイ３２５は、ワイヤレスまたはワイヤードインターフェース、たとえば、ＭＩＰＩインターフェースを介してプロセッサに接続され得る。プロセッサおよび／またはディスプレイドライバは、表示するためにデータをマイクロディスプレイ３２５に提供することができる。いくつかの態様では、アプリケーションプロセッサによって、デバイスは、電話呼を受信し、音声起動電話ダイアラーを起動させることができ得る。
【００３４】
[0040]マイクロディスプレイ３２５からの光は、１つまたは複数のレンズの備え得るレンズスタック３３０を使用してコリメートされ得る。光学ディスプレイシステム１０５、および特にレンズスタック３３０は、ユーザからある距離であるものとユーザによって知覚することができる光情報を提供するように構成される。光情報は、たとえば、ユーザが繰り返し見るのに快適な距離など、様々な距離のうちの１つに現れるように提供され得る。いくつかの実施形態では、距離は、たとえば、光学ディスプレイシステムの構成要素のうちの１つまたは複数を調整する（たとえば、移動させる）ことによって、ユーザによって調整することができる。たとえば、いくつかの実施形態では、光学ディスプレイシステム１０５は、ユーザの目から３メートル（または約９フィート）であるように見える画像として光情報を提供し得る。たとえば４メートル（または約１２フィート）など、他の距離も使用され得る。いくつかの態様では、光情報がより遠いように見える場合、ユーザが光情報にフォーカスすることがより容易であり得る。しかしながら、これは、デバイスのサイズのトレードオフを必要とする可能性があり、光をより遠くに見せるためのレンズは、より近い距離のために必要とされるものよりも多くの空間を必要とし得る。たとえば、約９フィートまたは１２フィートの距離は、フォーカスするのに快適で容易である画像の距離とレンズスタック３３０のサイズとの間の適切なトレードオフであり得る。
【００３５】
[0041]図３に示されるように、コリメートされた画像の光線は、レンズスタック３３０およびディスプレイ３２５に向いて配置される画像ガイド３３５の受光面３５５から、画像ガイド３３５の中に提供され得る。そのような実施形態は、他の構成に勝る利点を提供することができ、たとえば、画像ガイド３３５の受光面に光を提供することによって、デバイスがより小さくなるのを可能にし得、またはより望ましい湾曲フレーム設計を可能にし得る。光（コリメートされた画像の光線）は、内部全反射（ＴＩＲ）の原理を使用して、画像ガイド３３５の表面３３７ａ、３３７ｂから反射して、画像ガイド３３５を介して伝搬する。光線の角度は、すべての光線が、ＴＩＲを使用するときに少なくとも１回、画像ガイド３３５の内面から反射するように選択され得る。
【００３６】
[0042]画像ガイド３３５は、レンズスタック３３０から光を受信するために配置される。画像ガイドは、ガラスまたはプラスチックでもよい。いくつかの態様では、プラスチックまたはアクリルは、より軽量のガラスの当然支払われるべきであるものよりも好ましい可能性がある。部分反射器３４０は、画像ガイド３３５の２つの部分によって形成されたダイクロイック（dichroic）であってもよく、マイクロディスプレイ３２５から光学ディスプレイシステム１０５の外に、たとえばニアアイディスプレイシステム１００を装着しているユーザの目の方に向けて光情報を反射するように構成される。部分反射器３４０は、ユーザが部分反射器３４０を通して見ることができるようにも構成される。いくつかの態様では、画像ガイド３３５は、たとえば、画像ガイドの両側の各々について１つの部分など、アクリルの２つ以上の部分から成り得る。これらの部分は、単一の画像ガイド３３５を形成するために、一緒に溶融され得る。
【００３７】
[0043]反射器３４０の角度は、画像がある角度だけ主直視から離れて配置されるように選択され得る。たとえば、画像は、前方を見るとき、ユーザの視野から２０度の角度でユーザに提示され得る。ユーザの視野のサイドにこの情報を提示することは、視野を不必要に塞ぐことなく、ユーザがディスプレイを使用できるようにし得る。いくつかの態様では、部分反射器面３４０は、異なる反射特性を有し得る。たとえば、部分反射器３４０は、光の約２５％〜７５％、または外光の約５０％の通過を可能にし、光の５０％を反射し得る。これによって、約５０％の透過性で、マイクロディスプレイ３２５からの画像をユーザに見えるようにすることができ得る。代替的に、部分反射器３４０は、光の７０％または３０％など他の量を反射してもよく、それに応じて、ユーザに対するマイクロディスプレイ３２５の画像の透過性を変更する。いくつかの態様では、部分反射器３４０は、外光に対しても少なくとも部分的に遮蔽され得る。上述したように、これによって、元来いくつかの他のディスプレイ技術ほど明るくない、たとえばＯＬＥＤディスプレイなどのディスプレイ技術を使用する場合であっても、マイクロディスプレイ３２５からの画像を比較的明るく見せることができ得る。
【００３８】
[0044]図４は、ニアアイディスプレイシステムのいくつかの構成要素を示すシースルーニアアイディスプレイシステム４００の一実施形態の背面図を示す。ニアアイディスプレイシステム４００は、ニアアイディスプレイシステム４００の構成要素が結合され、および／またはその中に含まれるハウジング４６５を含む。ハウジング４６５は、前部部分４０１の中央に配置されたサポート４５０を含み得る前部部分４０１を含み得る。サポート４５０は、ユーザの鼻の上または近くに載置されるように構成され得、図示のように、ニアアイディスプレイシステム４００の前の中心に配置され得る。いくつかの実施形態では、サポート４５０は、少なくとも一部がユーザの鼻に支えられ得る湾曲面（たとえば、鼻の一部の周りにフィットするように示されるように）を含む。いくつかの実施形態では、サポートは、鼻の周りにフィットするように構成されるのではなく、代わりに、鼻の上に、またはユーザの顔または頭部の別の部分に載置されて、ニアアイディスプレイシステム４００を支持し得る。ニアアイディスプレイシステム４００は、各々ハウジング４６５の対応する右開口４７０ａおよび左開口４７０ｂに配置される右ビューポート４５５ａおよび左ビューポート４５５ｂを含み得る。示されるように、ノーズサポート４５０は、右ビューポート４５５ａと左ビューポート４５５ｂとの間に配置される。各ビューポート４５５ａ、４５５ｂは、ニアアイディスプレイシステム４００を装着しているユーザが、ハウジング４６５の対応する右および左の開口４７０ａ、４７０ｂを見通すことができるように配置される。
【００３９】
[0045]図示の実施形態では、ハウジング４６５は、ニアアイディスプレイシステム４００の前部部分４０１から、ニアアイディスプレイシステム４００の後部部分４０２の方に延びる右サポート４７５ａ左サポート４７５ｂを含む。右サポート４７５ａおよび左サポート４７５ｂは、ニアアイディスプレイシステム４００を装着しているユーザの頭部および／または耳に快適に載置されるように構成される。いくつかの実施形態では、ニアアイディスプレイシステム４００は、左または右サポートを含まず、代わりに、たとえば、ニアアイディスプレイシステム４００が帽子や別のアイテムに付くように構成されている場合など、ユーザの左目または右目に画像情報を提供するための前部部分４０１のみを有していてもよい。
【００４０】
[0046]ニアアイディスプレイシステム４００は、情報を表示するように構成されたマイクロディスプレイ４２５を含む。ディスプレイ４２５上の情報は、レンズアセンブリ４３０を介して、および画像ガイド４３５を介して投影される。次いで、この情報は、部分反射器４４０を使用してユーザの目の方に反射される。部分反射器４４０は、画像ガイド４３５に配置されてもよい。ニアアイディスプレイシステム４００は、様々な実施形態に従って、部分反射器４４０の一方または両方に画像を提供（または投影）するように構成され得る。図４では、マイクロディスプレイ４２５は、ニアアイディスプレイシステム４００の左側に示される。したがって、本実施形態では、マイクロディスプレイからの画像は、ユーザの左目のために提供される。
【００４１】
[0047]いくつかの実施形態では、ニアアイディスプレイシステム４００は、いずれかの目とともに働くように構成され得る、または、所与のニアアイディスプレイシステム４００が、特定の目のためのみに使用され得るように構築され得る。いくつかの実施形態では、ニアアイディスプレイシステムは、マイクロディスプレイ４２５、レンズアセンブリ４３０、画像ガイド４３５、および部分反射器４４０が右側にあり、それに応じて、画像がニアアイディスプレイシステム４００の右側にあるように構成されてもよい。たとえば、個々人は、利き目またはより良い目がディスプレイを使用することを可能にするニアアイディスプレイシステム４００を使用することを望み得る。いくつかの実施形態では、画像は、ユーザの視野のいずれかの側（または両側）、およびニアアイディスプレイシステム４００の左側または右側のいずれか（または両方）に投影され得る。ニアアイディスプレイシステム４０５は、ディスプレイを駆動し、ディスプレイに表示されるコンテンツを処理するための統合アプリケーションプロセッサ４１５を含み得る。ニアアイディスプレイシステム４００は、ワイヤレス接続のために、統合されたＢｌｕｅｔｏｏｔｈおよびＷｉ−Ｆｉ機能も含み得る。ニアアイディスプレイシステム４００は、スピーカー４２０を含み得、マイクロフォンも含み得る。
【００４２】
[0048]図５は、本開示のいくつかの態様によるシースルーニアアイディスプレイシステム５００の一実施形態の図である。ディスプレイシステム５００は、任意の数の他の構成要素を含み得るハウジング５１０を含み得る。たとえば、ハウジング５１０は、すべての他の構成要素を含み得る、または、いくつかの構成要素は、ハウジングの外側に含み得る。同じ態様では、ハウジング５１０は、眼鏡のように見えるように形成されてもよい。
【００４３】
[0049]ディスプレイシステム５００は、プロセッサ５２０を含み得る。このプロセッサは、たとえば揮発性または不揮発性メモリ（または両方）などのメモリ５３０に動作可能に取り付けられ得る。たとえば、プロセッサ５２０は、たとえばセルラーフォンなど別のデバイスから受信情報に構成され得、画像を生成するために、マイクロディスプレイ５４０にその情報を送信するように構成され得る。したがって、プロセッサ５２０は、マイクロディスプレイ５４０に動作可能に接続され得る。マイクロディスプレイ５４０は、たとえばマイクロディスプレイ５４０が画像を形成する光を生成できるようにし得る画像または他の情報などの情報をプロセッサ５２０から受信するように構成され得る。たとえば、マイクロディスプレイ５４０は、格子パターンのいくつかのピクセルを含み得、たとえば１０２４×７６８（ＸＧＡ）の解像度を有し得る。他の解像度も使用され得る。マイクロディスプレイ６４０からの画像は、レンズアセンブリ５５０を介してに送信され得る。レンズアセンブリ５５０は、１つまたは複数のレンズを含み得、マイクロディスプレイ５４０から画像をコリメートし、光ガイド５６０を介してそれらの画像を方向づけるように構成され得る。光ガイド５６０は、内部全反射（ＴＩＲ）を使用して機能する透明材料を含み得る。マイクロディスプレイ６４０からの画像は、光ガイド５６０を通って伝搬し得、次いで、部分反射面５７０（たとえば反射器３４０、図１）によって、ユーザの目の方に向け直され得る。このスクリーンは、ディスプレイシステム５００のユーザがスクリーン５７０を見通すことができるようにするために、部分的に反射するだけでよい。したがって、マイクロディスプレイ５４０によって作成される画像は、ユーザには部分反射面５７０上に見え得るが、スクリーン５７０は部分反射性なので、半透明でもよい。したがって、ユーザは、マイクロディスプレイ６４０からの画像、ならびに画像の背後に配置され得る（ユーザの周囲の）オブジェクトを見ることが可能であり得る。
【００４４】
[0050]図６は、シースルーニアアイディスプレイシステム６００に含まれ得る例示的な構成要素を示す概略図である。たとえば、ニアアイディスプレイシステム６００は、ベースバンドおよびディスプレイチップ６０５、たとえばＱｕａｌｃｏｍｍ（登録商標）  ＡＰＱ８０６４（Ｓｎａｐｄｒａｇｏｎ（登録商標）  Ｓ４  Ｐｒｏ）を有するワイヤレスディスプレイエンジンを含み得る。このチップは、１４×１４ｍｍで相対的に小さい占有面積を有し得る。このチップは、統合ＰＯＰモバイルＤＤＲ２メモリ、統合Ｗｉ−Ｆｉモデム、統合ＭＤＰディスプレイドライバ、Ｋｒａｉｔプロセッサ、およびデュアルＭＩＰＩ  ＤＳＩディスプレイインターフェースも有する。ニアアイディスプレイシステム６００は、たとえばＱｕａｌｃｏｍｍ  ＱＣＮ３６６０などのワイヤレスローカルエリアネットワーク（ＷＬＡＮ）トランシーバ６１０も含み得る。このトランシーバ６１０は、高集積無線周波数（ＲＦ）モジュールを含み得る。ニアアイディスプレイシステム６００は、たとえばＱｕａｌｃｏｍｍ  ＰＭ８９２１チップなどの電力管理ＩＣ６４５をさらに含み得る。この電力管理ＩＣ６４５は、たとえばシングルセルリチウムイオンバッテリー６５０などのバッテリーに取り付けられ得、ＵＳＢ  Ｍｉｃｒｏ−Ｂインターフェース６５５を介してベースバンドおよびディスプレイチップ６０５に取り付けられ得る。
【００４５】
[0051]いくつかの態様では、この図に示されるいくつかの部分は、ニアアイディスプレイシステム６００の眼鏡様の形状の外部にあってもよい。たとえば、バッテリーは、眼鏡の外部にあってもよく、たとえば、ユーザによって、身体のどこか他のところに装着されてもよい。デバイスのヘッドセット部分（またはデバイスのハウジング）の外部に配置されたニアアイディスプレイシステム６００のいくつかの部分を配置することによって、ニアアイディスプレイシステム６００のヘッドセット部分を、さもなければ考えられ得るよりも、より小さくまたはより軽くすることができ、またはバッテリー寿命を延ばすことができ得る。ニアアイディスプレイシステム６００は、１つまたは複数のスピーカー６２０に取り付けられ得るオーディオコーデックも含み得る。たとえば、示されるように、２つのスピーカー６２０が、ステレオサウンドのために使用され得る。
【００４６】
[0052]ニアアイディスプレイシステム５００は、左光学エンジン６３０ａおよび右光学エンジン６３０ｂの各々についてＤＳＩ−ＲＧＢブリッジ６２５ａ、６２５ｂも含み得る。デバイスは、ブート可能なフラッシュメモリ６３５をさらに含み得る。デバイスは、いくつかのセンサー５４０も含み得る。たとえば、デバイスは、加速度計およびジャイロスコープを含むセンサー６４０を含み得る。他のセンサー６４０は、カメラ、タッチセンサー、コンパス、またはＧＰＳセンサーを含み得る。これらのセンサー６４０は、デバイスが外部環境から様々なタイプの入力を受信することを可能にし、デバイスがユーザに異なる情報を提示することを可能にし得る、または異なるタイプのユーザインターフェースを使用可能にし得る。
【００４７】
[0053]本明細書における「第１」、「第２」などの名称を使用した要素への任意の言及は、それらの要素の数量または順序を概括的に限定するものでないことを理解されたい。むしろ、これらの名称は、本明細書において２つ以上の要素またはある要素の複数の例を区別する便利なワイヤレスデバイスとして使用され得る。したがって、第１および第２の要素への言及は、そこで２つの要素のみが採用され得ること、または第１の要素が何らかの方法で第２の要素に先行しなければならないことを意味するものではない。また、別段に記載されていない限り、要素のセットは１つまたは複数の要素を含み得る。
【００４８】
[0054]情報および信号は多種多様な技術および技法のいずれかを使用して表され得ることを当業者は諒解されよう。たとえば、上記の説明全体にわたって参照され得るデータ、命令、コマンド、情報、信号、ビット、シンボル、およびチップは、電圧、電流、電磁波、磁場もしくは粒子、光場もしくは光粒子、またはそれらの任意の組合せによって表され得る。
【００４９】
[0055]本明細書で開示した態様に関して説明した様々な例示的な論理ブロック、モジュール、プロセッサ、手段、回路、およびアルゴリズムステップのいずれかは、電子ハードウェア（たとえば、ソースコーディングもしくは何らかの他の技法を使用して設計され得る、デジタル実装形態、アナログ実装形態、またはそれら２つの組合せ）、（便宜上、本明細書では「ソフトウェア」もしくは「ソフトウェアモジュール」と呼ばれることがある）命令を組み込んだ様々な形態のプログラムまたは設計コード、あるいは両方の組合せとして実装され得ることを当業者はさらに諒解されよう。ハードウェアおよびソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を、特定の適用例ごとに様々な方法で実装し得るが、そのような実装の決定は、本開示の範囲からの逸脱を引き起こすと解釈されるべきではない。
【００５０】
[0056]本明細書で開示した態様に関して、および図に関して説明した様々な例示的な論理ブロック、モジュール、および回路は、集積回路（ＩＣ）、アクセス端末、またはアクセスポイント内に実装され得るか、またはそれらによって実行され得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電気構成要素、光学構成要素、機械構成要素、または本明細書で説明する機能を実行するように設計されたそれらの任意の組合せを含み得、ＩＣの内部に、ＩＣの外側に、またはその両方に存在するコードまたは命令を実行し得る。論理ブロック、モジュール、および回路は、ネットワーク内またはデバイス内の様々な構成要素と通信するためにアンテナおよび／またはトランシーバを含み得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。モジュールの機能は、本明細書で教示した他の何らかの方法で実装され得る。（たとえば、添付の図の１つまたは複数に関して）本明細書で説明した機能は、いくつかの態様では、添付の特許請求の範囲において同様に指定された「手段」機能に対応し得る。
【００５１】
[0057]ソフトウェアで実装される場合、機能は、１つまたは複数の命令またはコードとしてコンピュータ可読媒体上に記憶されるか、あるいはコンピュータ可読媒体を介して送信され得る。本明細書で開示された方法またはアルゴリズムのステップは、コンピュータ可読媒体上に存在し得る、プロセッサ実行可能ソフトウェアモジュールで実装され得る。コンピュータ可読媒体は、ある場所から別の場所にコンピュータプログラムを転送することを可能にされ得る任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態の所望のプログラムコードを記憶するために使用され得、コンピュータによってアクセスされ得る任意の他の媒体を含み得る。また、任意の接続も、適宜コンピュータ可読媒体と呼ばれ得る。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。加えて、方法またはアルゴリズムの動作は、コンピュータプログラム製品に組み込まれ得る、機械可読媒体およびコンピュータ可読媒体上のコードおよび命令のうちの１つまたは任意の組合せまたはセットとして存在し得る。
【００５２】
[0058]任意の開示したプロセス中のステップの任意の特定の順序または階層は例示的な手法の一例であることを理解されたい。設計の選好に基づいて、プロセス中のステップの特定の順序または階層は本開示の範囲内のまま再構成され得ることを理解されたい。添付の方法クレームは、サンプル順序での様々なステップの要素を提示し、提示される特定の順序または階層に限定されることを意味するわけではない。
【００５３】
[0059]本開示で説明した実装形態への様々な修正は当業者には容易に明らかであり得、本明細書で定義した一般原理は、本開示の趣旨または範囲から逸脱することなく他の実装形態に適用され得る。したがって、本開示は、本明細書で示した実装形態に限定されるものではなく、本明細書で開示する特許請求の範囲、原理および新規の特徴に一致する、最も広い範囲を与られるべきである。「例示的」という単語は、本明細書ではもっぱら「例、事例、または例示の働きをすること」を意味するために使用される。「例示的」として本明細書で説明するいかなる実装形態も、必ずしも他の実装形態よりも好ましいか、または有利であると解釈されるべきではない。
【００５４】
[0060]別個の実装形態という文脈において本明細書で説明したいくつかの特徴はまた、単一の実装形態において、組合せで実装され得る。逆に、単一の実装形態という文脈において説明した様々な特徴はまた、複数の実装形態において別々に、または任意の好適な部分組合せで実装され得る。その上、特徴は、いくつかの組合せで働くものとして上記で説明され、初めにそのように請求されることさえあり得るが、請求される組合せからの１つまたは複数の特徴は、場合によってはその組合せから削除され得、請求される組合せは、部分組合せ、または部分組合せの変形形態を対象とし得る。
【００５５】
[0061]同様に、動作は特定の順序で図面に示されているが、これは、望ましい結果を達成するために、そのような動作が、示される特定の順序でまたは順番に実行されること、あるいはすべての図示の動作が実行されることが必要であると理解されるべきでない。いくつかの状況では、マルチタスキングおよび並列処理が有利であり得る。その上、上記で説明した実装形態における様々なシステム構成要素の分離は、すべての実装形態においてそのような分離を必要とするものとして理解されるべきでなく、説明するプログラム構成要素およびシステムは、概して、単一のソフトウェア製品において互いに一体化されるか、または複数のソフトウェア製品にパッケージングされ得ることを理解されたい。加えて、他の実装形態が以下の特許請求の範囲内に入る。場合によっては、特許請求の範囲に記載の行為は、異なる順序で実行され、依然として望ましい結果を達成することができる。
以下に、本願出願の当初の特許請求の範囲に記載された発明を付記する。
［Ｃ１］
装着型ディスプレイデバイスであって、
中心を有する少なくとも前部部分を備えるハウジングと、
前記ハウジング内に配置されたディスプレイパネルと、前記ディスプレイパネルが、画像情報を表示するように構成される、
前記ディスプレイパネルと電子通信するプロセッサと、前記プロセッサが、前記ディスプレイパネルに前記画像情報を提供するように構成される、
光学システムと
を備え、前記光学システムが、
画像ガイドと、前記画像ガイドが、
前記ディスプレイパネルに面して配置された受光面と、
前記ハウジングの内部に面して配置された発光面と
を含み、前記画像ガイドが、前記受光面上の前記ディスプレイパネルから前記画像情報を表す光を受信するように配置され、前記画像ガイドが、前記画像ガイドを介して前記ディスプレイから受信された光を前記ハウジングの前記前部部分の方に伝搬するように構成される、
眼点にあるユーザの目の視野（ＦＯＶ）の側部において前記画像情報が見えるように、前記反射光が前記発光面を介して前記視点の方向に前記画像ガイドを出るように、前記画像ガイドを介して前記光ガイド放出面の方に伝搬する光を反射するように配置された少なくとも部分反射面と、前記ＦＯＶの前記側部が、前記ハウジングの前記前部部分の前記中心の遠位にある
を備える、
装着型ディスプレイデバイス。
［Ｃ２］
前記光学システムが、前記ディスプレイパネルと前記画像ガイドとの間に配置された１つまたは複数のレンズを備えるレンズシステムをさらに備え、前記レンズシステムが、前記ディスプレイパネルから光を受信し、コリメートし、前記ディスプレイから前記画像ガイドに前記光を伝搬するように構成される、Ｃ１に記載のディスプレイデバイス。
［Ｃ３］
前記光学システムが、前記画像情報が３メートル以上離れたソースからであるように見えるように、前記ユーザの目によって閲覧するために前記眼点に光を提供するように構成される、Ｃ１に記載のディスプレイデバイス。
［Ｃ４］
前記画像ガイドが、内部全反射に基づいて動作するアクリル画像ガイドを備える、Ｃ１に記載のディスプレイデバイス。
［Ｃ５］
前記部分反射面が、前記眼点に配置された前記ユーザの目の前記ＦＯＶの前記中心に対して０度と−２５度との間の垂直オフセットで前記眼点に配置された前記ユーザの目に前記画像情報を提供するように配置される、Ｃ１に記載のディスプレイデバイス。
［Ｃ６］
前記部分反射面が、前記眼点に配置された前記ユーザの目の前記ＦＯＶの前記中心に対して−５度と−２０度との間の垂直オフセットで前記眼点に配置された前記ユーザの目に前記画像情報を提供するように配置される、Ｃ５に記載のディスプレイデバイス。
［Ｃ７］
前記部分反射面が、前記眼点に配置された前記ユーザの目の前記ＦＯＶの前記中心に対して５度と３５度との間の垂直オフセットで前記眼点に配置された前記ユーザの目に前記画像情報を提供するように配置される、Ｃ１に記載のディスプレイデバイス。
［Ｃ８］
前記部分反射面が、前記眼点に配置された前記ユーザの目の前記ＦＯＶの前記中心に対して１０度と３５度との間の水平オフセットで前記眼点に配置された前記ユーザの目に前記画像情報を提供するように配置される、Ｃ７に記載のディスプレイデバイス。
［Ｃ９］
前記部分反射面が、前記眼点に配置された前記ユーザの目の前記ＦＯＶの前記中心に対して１５度と２５度との間の水平オフセットで前記眼点に配置された前記ユーザの目に前記画像情報を提供するように配置される、Ｃ８に記載のディスプレイデバイス。
［Ｃ１０］
前記部分反射面が、前記眼点に配置された前記ユーザの目の前記ＦＯＶの前記中心に対して約２０度の水平オフセットで前記眼点に配置された前記ユーザの目に前記画像情報を提供するように配置される、Ｃ９に記載のディスプレイデバイス。
［Ｃ１１］
ワイヤレスモバイルデバイスと通信するように構成されたトランシーバをさらに備え、前記プロセッサが、前記モバイルデバイスから前記ディスプレイパネル上に表示するための情報を受信するように構成される、Ｃ１に記載のディスプレイデバイス。
［Ｃ１２］
前記ディスプレイパネルが有機発光ダイオードディスプレイを備える、Ｃ１に記載のディスプレイデバイス。
［Ｃ１３］
前記部分反射面が、部分透明であり、光の約２５％〜７５％を反射するように構成される、Ｃ１に記載のディスプレイデバイス。
［Ｃ１４］
前記部分反射面が、部分透明であり、光の約５０％を反射するように構成される、Ｃ１に記載のディスプレイデバイス。
［Ｃ１５］
装着型ディスプレイデバイスの眼点にあるユーザの目に画像情報を提供する方法であって、
プロセッサから画像情報を提供することと、
前記画像情報を示す光が前記装着型ディスプレイデバイスの前部部分の方に投影されるように、前記画像情報をディスプレイパネル上に表示することと、
光学システムを使用して、前記ディスプレイパネルから光をコリメートし、画像ガイドを介して前記コリメートされた光を伝搬することと、
眼点にある前記ユーザの目の視野（ＦＯＶ）の側部において前記画像情報が見えるように、前記反射光が前記発光面を介して前記視点の方向に前記光ガイドを出るように、前記画像ガイドを介して前記画像ガイドの光ガイド放出面の方に伝搬する光を反射するように配置された部分反射面によって前記画像ガイドから受信された前記光を反射することと、前記ＦＯＶの前記側部が、前記ハウジングの前記前部部分の中心の遠位にある、
を備える方法。
［Ｃ１６］
前記部分反射面が、前記眼点に配置された前記ユーザの目の前記ＦＯＶの前記中心に対して０度と−２５度との間の垂直オフセットで前記眼点に配置された前記ユーザの目に前記画像情報を提供するように配置される、Ｃ１５に記載の方法。
［Ｃ１７］
前記部分反射面が、前記眼点に配置された前記ユーザの目の前記ＦＯＶの前記中心に対して−５度と−２０度との間の垂直オフセットで前記眼点に配置された前記ユーザの目に前記画像情報を提供するように配置される、Ｃ１５に記載の方法。
［Ｃ１８］
前記部分反射面が、前記眼点に配置された前記ユーザの目の前記ＦＯＶの前記中心に対して５度と３５度との間の垂直オフセットで前記眼点に配置された前記ユーザの目に前記画像情報を提供するように配置される、Ｃ１５に記載の方法。
［Ｃ１９］
前記部分反射面が、前記眼点に配置された前記ユーザの目の前記ＦＯＶの前記中心に対して１０度と３５度との間の水平オフセットで前記眼点に配置された前記ユーザの目に前記画像情報を提供するように配置される、Ｃ１５に記載の方法。
［Ｃ２０］
前記部分反射面が、前記眼点に配置された前記ユーザの目の前記ＦＯＶの前記中心に対して１５度と２５度との間の水平オフセットで前記眼点に配置された前記ユーザの目に前記画像情報を提供するように配置される、Ｃ１９に記載の方法。
［Ｃ２１］
前記部分反射面が、前記眼点に配置された前記ユーザの目の前記ＦＯＶの前記中心に対して約２０度の水平オフセットで前記眼点に配置された前記ユーザの目に前記画像情報を提供するように配置される、Ｃ１９に記載の方法。
［Ｃ２２］
前記部分反射面が、部分透明であり、光の約２５％〜７５％を反射するように構成される、Ｃ１５に記載の方法。
［Ｃ２３］
前記光学システムが、前記画像情報が３メートル以上離れたソースからであるように見えるように、前記ユーザの目によって閲覧するために前記眼点に光を提供するように構成される、Ｃ１５に記載の方法。
［Ｃ２４］
装着型ディスプレイデバイスであって、
画像情報を提供するための手段と、
前記画像情報を示す光が前記装着型ディスプレイデバイスの前部部分の方に投影されるように、前記画像情報を表示するための手段と、
前記表示手段からの光をコリメートし、前記光を案内するための手段を介して前記コリメートされた光を伝搬するための手段と、
前記光ガイド手段から受信された前記光を反射するための手段と、前記反射手段が、眼点にあるユーザの目の視野（ＦＯＶ）の側部において前記画像情報が見えるように、前記視点の方向に前記光ガイド手段を介して伝搬する光を反射するように配置され、前記ＦＯＶの前記側部が、前記ハウジングの前記前部部分の中心の遠位にある、
を備える装着型ディスプレイデバイス。
［Ｃ２５］
前記提供する手段がプロセッサを備え、前記表示する手段がマイクロディスプレイパネルを備え、前記光をコリメートする手段がレンズアセンブリを備え、前記光ガイド手段が画像ガイドを備え、前記反射する手段が部分反射面を備える、Ｃ２４に記載のデバイス。
［Ｃ２６］
前記反射する手段が、前記眼点に配置された前記ユーザの目の前記ＦＯＶの前記中心に対して０度と−２５度との間の垂直オフセットで前記眼点に配置された前記ユーザの目に前記画像情報を提供するように配置される、Ｃ２４に記載のデバイス。
［Ｃ２７］
前記反射する手段が、前記眼点に配置された前記ユーザの目の前記ＦＯＶの前記中心に対して１０度と３５度との間の水平オフセットで前記眼点に配置された前記ユーザの目に前記画像情報を提供するように配置される、Ｃ２４に記載のデバイス。
［Ｃ２８］
装着型ディスプレイデバイスであって、
中心を有する少なくとも前部部分を備えるハウジングと、
前記ハウジング内に配置されたマイクロディスプレイと、
前記マイクロディスプレイと電子通信するプロセッサと、前記プロセッサが、前記マイクロディスプレイに前記画像情報を提供するように構成される、
眼点にあるユーザの目の視野の側部において画像情報が見えるように、前記視点の方に前記画像情報を示す光を反射するように構成された光学システムと、前記視野の前記側部が、前記ハウジングの前記前部部分の前記中心の遠位にある、
を備える装着型ディスプレイデバイス。
［Ｃ２９］
前記光学システムが、
前記マイクロディスプレイに面して配置された受光面と前記ハウジングの内部に面して配置された発光面とを有する画像ガイドと、
前記ディスプレイパネルと前記画像ガイドとの間に配置された１つまたは複数のレンズを備えるレンズシステムと、前記レンズシステムが、前記ディスプレイパネルから光を受信し、コリメートし、前記マイクロディスプレイから前記画像ガイド受光面に前記光を伝搬するように構成される、
前記反射光が前記発光面を介して前記視点の方向に前記画像ガイドを出るように、前記画像ガイドを介して前記放出面の方に伝搬する光を反射するように配置された少なくとも部分反射面と
を備える、Ｃ２８に記載のデバイス。
［Ｃ３０］
前記少なくとも部分反射面が、前記眼点に配置されたユーザの目の前記視野（ＦＯＶ）の前記中心に対して０度と−２５度との間の垂直オフセットで前記眼点に配置された前記ユーザの目に前記画像情報を提供するように配置され、前記部分反射面が、前記眼点に配置された前記ユーザの目の前記ＦＯＶの前記中心に対して１０度と３５度との間の水平オフセットで前記眼点に配置された前記ユーザの目に前記画像情報を提供するように配置される、Ｃ２９に記載のデバイス。
【図１】
0006602787.tif 000002
【図２Ａ】
0006602787.tif 000003
【図２Ｂ】
0006602787.tif 000004
【図３】
0006602787.tif 000005
【図４】
0006602787.tif 000006
【図５】
0006602787.tif 000007
【図６】
0006602787.tif 000008